(57)【特許請求の範囲】
【請求項１】
胸腺の刺激のための装置であって、
少なくとも２つの縦方向に長い側壁（６０，６２，６４，６６）に形成された貫通孔（７０，７１，７２，７３，７４）を有して直方体（５２）の形の受容器（５０）内に、水晶の形の天然二酸化ケイ素と、電気石の形の天然環状ケイ酸塩の結晶（１００，１０２，１０６，１０８，１１０，１１２，１１４，１１６，１１８，１２０，１２２，１２４，１２８，１３０）がバラ積み、あるいは互いに列状に重なり合うように配置され、これら天然二酸化ケイ素と天然環状ケイ酸塩の量の割合は、７：１ないし３：１であることを特徴とする装置。
【請求項２】
前記電気石は、緑色電気石（１２４、１２６、１２８、１３０）であることを特徴とする請求項１に記載の装置。
【請求項３】
水晶（１００、１０２、１０４、１０６、１０８、１１０、１１２、１１４、１１６、１１８、１２０、１２２）の形の天然二酸化ケイ素及び緑色電気石（１２４、１２６、１２８、１３０）の形の天然環状ケイ酸塩が量的に６：１ないし４：１の割合であることを特徴とする請求項１又は２に記載の装置。
【請求項４】
天然形、チップ状、球形、針状及び／又はボタン状の水晶（１００、１０２、１０４、１０６、１０８、１１０、１１２、１１４、１１６、１１８、１２０、１２２）及び電気石（１２４、１２６、１２８、１３０）の形の結晶が該受容器内に積層して配置されていることを特徴とする請求項１ないし３のいずれか１に記載の装置。
【請求項５】
二酸化ケイ素（１００、１０２、１０４、１０６、１０８、１１０、１１２、１１４、１１６、１１８、１２０、１２２）の形の少なくとも複数個の第１の物体と、天然環状ケイ酸塩（１２４、１２６、１２８、１３０）の形の少なくとも１個の第２の物体とが受容器（５０）の中に配置され、第１の物体及び少なくとも１個の第２の物体がそれぞれ２ｍｍ≦Ｌ≦３ｍｍの最大長さＬを有することを特徴とする請求項１ないし４のいずれか１つに記載の装置。
【請求項６】
受容器（５０）が金、銀、白金などの貴金属又は貴金属の合金から成るか、又はこれらを含むことを特徴とする請求項１ないし５のいずれか１つに記載の装置。
【請求項７】
該貴金属が銀であり、場合によってはロジウムで被覆されていることを特徴とする請求項６に記載の装置。
【請求項８】
前記受容器（５０）の縦方向に長い側壁（６０、６２、６４、６６）の夫々に貫通孔（７０、７１、７２、７３、７４）が形成されてなることを特徴とする請求項１ないし７のいずれか１つに記載の装置。
【請求項９】
直方体の形をなす受容器（５０）は、閉じた底部壁（７８）及び／又は頂部壁（８０）を有することを特徴とする請求項１ないし８のいずれか１つに記載の装置。
【請求項１０】
貫通孔（７１、７２、７３、７４）が円形及び／又は四角形、例えば正方形の幾何学的形状を有することを特徴とする請求項１ないし９のいずれか１つに記載の装置。
【請求項１１】
受容器（５０）が、ネックレスなどの鎖（７６）から延出したペンダントであることを特徴とする請求項１ないし１０のいずれか１つに記載の装置。
【発明の詳細な説明】
【技術分野】
【０００１】
本発明は胸腺の刺激のための装置に関する。
【背景技術】
【０００２】
例えば黄色ヘキ玉、エメラルド又は蛇紋石が胸腺を活性化し、刺激することが知られている（Das Grosse Lexikon der Heilsteine，Duefte und Kraeuter，［薬用石、香水及び風味用植物大事典］メスザレム・フエアラークゲゼルシャフト・エムベーハー社（ノイーウルム）出版，１９９７年発行、３１９頁）。アクアマリン、青色電気石、ダイアモンド、緑色電気石、ラピスラズリ、軟玉又はペリドットも胸腺に作用する。ところが測定が明らかにしたところでは、限られた効果しか与えられない。
【０００３】
ドイツ実用新案第２０１０３７３７号は電磁界を発生する機器の人への影響を減少するための装置に関するものである。ここでは、準宝石及び宝石材料又は結晶鉱物の混合物を使用することが提案され、材料の１つとして赤鉄鉱と、別の材料としてとりわけ水晶が提案される。
【０００４】
ドイツ特許公開第４３１７８８４号は人体に有害な環境の影響を中和又は遮蔽するための装置に関するものである。ここでは、非金属容器に鉱物、例えば石英が収納される。ドイツ特許公開第３３２５５０７号は病原性刺激域の障害除去のための、黒鉛と石英の積層物を備える装置を主題とする。
【０００５】
スイス特許第６８７４３８号は地球放射及びレンガ積みの増大する湿気の遮蔽のための部材を記載する。部材は電気的良伝導材料からなる受容体を備え、その中に粒状鉱物が充填されている。粒状鉱物は例えばケイ砂である。
【発明の開示】
【発明が解決しようとする課題】
【０００６】
本発明は、胸腺の刺激のための装置を提供することを目的とするものである。
【課題を解決するための手段及び発明の効果】
【０００７】
上記の課題解決のために、本発明においては、少なくとも２つの縦方向に長い側壁に形成された貫通孔を有して直方体の形の受容器内に、水晶の形の天然二酸化ケイ素と、電気石の形の天然環状ケイ酸塩の結晶がバラ積み、あるいは互いに列状に重なり合うように配置され、これら天然二酸化ケイ素と天然環状ケイ酸塩の量の割合は、７：１ないし３：１であることを特徴とする胸腺の刺激のための装置を提案するものである。
【０００８】
結晶は特に重なり合って列状に配置することが好ましい。これによって結晶は圧電性を発揮することができ、その場合、緑色電気石がこの性質に極性を与える。こうして胸腺の刺激のために必要な振動を発生することができる。
【０００９】
とりわけ水晶の形の天然二酸化ケイ素と電気石の形の天然環状ケイ酸塩が上述のように量的に７：１ないし３：１の割合とすることにより顕著な効果を奏する。
【００１０】
また、水晶の形の天然二酸化ケイ素と電気石の形の天然環状ケイ酸塩の結晶の混合によって人体に対する電磁放射の作用が減少されることが認められた。特に混合物が胸腺の直近区域に置かれた場合である。そこで本発明は電磁放射を遮蔽又は減少するための装置をも提案するものである。
【００１１】
本発明の装置においては、水晶の形の二酸化ケイ素の結晶と、電気石の形の天然環状ケイ酸塩の結晶とが結晶混合物として、貫通孔を有する受容器の中に配置される。受容器自体はペンダントなどの装身具として形成され、例えば鎖で吊るして胸腺の区域に配置される。その場合前述のように水晶と電気石の量的割合は、７：１ないし３：１特に４：１の混合比とされる。
【００１２】
水晶又は電気石は、特に天然形、チップ形、球形、針状又はボタン状の結晶をなすものとする。
【００１３】
その場合、この結晶は２ｍｍ≦Ｌ≦３ｍｍの最大長さＬを有するものとする。受容器自体は貴金属からなり又は貴金属を含むものとし、特に銀が挙げられる。
【００１４】
受容器の幾何学的形状は直方体であり、その場合、特にすべての縦方向に長い側面に貫通孔が設けられ、該貫通孔は円形又は四角形、例えば長方形又は正方形の幾何学的形状を有するものとする。
【００１５】
直方体の代表的な寸法は、底面３−７ｍｍ×３−７ｍｍ、特に５×５ｍｍ２で長さ２０−４０ｍｍ、特に約３０ｍｍである。
【００１６】
側壁にそれぞれ少なくとも３個ないし６個の貫通孔があって、底面側又は頂面側の貫通孔を鎖が貫通することができるものとする。
【００１７】
当該の直方体に充填するために、周囲側と底面側が密閉された物体が利用される。この物体は結晶を入れた後にカバー部材によって閉鎖される。カバー部材は例えば接着して固定することができる。
【００１８】
前述のように受容器は貴金属、例えば場合によってはロジウム被覆を有する９２５／００銀からなることができる。結晶の作用を歪めない別の適当な材料も考えられる。
【００１９】
特に銀、金又は白金もしくはその合金のような貴金属が考慮される。
【００２０】
この装身具を前述のように胸腺即ち胸骨の区域に配置することができる。ダイアモンド（Diamond）博士による運動学的上肢試験が明らかにしたところでは、この装置によって電磁放射を大幅に遮蔽又は減少することができるから、当該の装置を身に付ける人にとって電気浸透負荷が大幅に減少される。
【００２１】
特に、装身具が胸腺の区域にある限り、胸腺刺激が起こる。
【００２２】
遮蔽効果又は刺激を引き起こす材料をなす一方の天然二酸化ケイ素、特に水晶、他方の天然環状ケイ酸塩、特に電気石は、バラ積みで、もしくは互いに入り組んで又は重なり合って配列される。その場合、環状ケイ酸塩が二酸化ケイ素によって取り囲まれるものとする。しかし圧電性を十分に働かせるために、結晶を列状に配置することが好ましい。
【００２３】
本発明のその他の細部、利点及び特徴は特許請求の範囲及び特許請求の範囲に見られる特徴−単独で及び／又は組合せとして−だけでなく、図面の下記の説明に見られる好ましい実施例でも明らかである。
【発明を実施するための最良の形態】
【００２４】
胸腺の刺激及び／又は電磁放射の遮蔽又は減少のための本発明の好ましい装置の実施例が図１及び２に示されている。
【００２５】
本発明に係る装置は、直方体５２の形のペンダントをなす受容器５０を有し、その内室５４に水晶５６及び緑色電気石５８が収納されている。水晶５６と緑色電気石５８の量の割合は７：１ないし３：１、特に４：１とする。その場合、緑色電気石５８が水晶５６の層の間にあるように、即ち緑色電気石５８が下側も上側も水晶５６に隣接するように、結晶５６、５８をケース５２の内室５４に配置する。
【００２６】
結晶５６、５８をペンダントをなす受容器５０にバラ積みとして収納することができるが、圧電性を十分に発揮させるために、結晶５６、５８を列状に重なり合って配置することが好ましい。その場合、緑色電気石がこの性質に極性を与える。こうして胸腺の刺激のために必要な振動を発生することができる。
【００２７】
緑色電気石５８も水晶５６も特に天然形、チップ状、球形、針状又はボタン状の個別結晶体からなり、最大長さＬは約３ｍｍ≦Ｌ≦６ｍｍとする。
【００２８】
図示のように縦方向に長い側壁６０、６２、６４、６６に貫通孔７０、７２、７３、７４が該側壁の長手方向に沿って設けられている。ここにおいて、３つの側面−本例では側面６０、６４及び６６−に円形の貫通孔７０，７１，７２，７３、残りの側面６２に長方形、例えば正方形の貫通孔７４が形成されている。
【００２９】
また相対する側壁−本例では側壁６０、６６−の頂部側にある貫通孔７２は鎖７６のための目穴として利用される。従って、ペンダントは鎖７６より延出した態様をなす。正方形の底部壁７８及び頂部壁８０の面の一辺の長さがそれぞれ６．５ｍｍとして、長方形受容器５０の高さは、例えば３０ｍｍである。但しこの寸法は本発明を限定するものではない。
【００３０】
円形貫通孔７０、７１、７２、７３については約２．５ｍｍの直径を選定することができる。また長方形又は正方形の貫通孔７４の一辺の長さは２．５ｍｍとすることができる。こうして水晶５６及び緑色電気石５８の遮蔽及び放射抑制効果を最適に働かせるために、側壁６０、６２、６４、６６は十分な透過能を備えることになる。
【００３１】
特に図１で明らかなように、いわば蓋の機能を有する隔壁８０によってケース５２を閉鎖することができる。頂部壁８０を取り除けば、側壁６０、６２、６４、６６と底部壁７８からなる一方が開いたケースが生じ、これに結晶５６、５８を詰めることができる。頂部壁側の開口６２に鎖を通した後に、頂部壁８０でケース５０を閉鎖することができる。
【００３２】
ケース５０は例えば貴金属、例えば９２５／００銀からなり、さらにロジウム被覆を設けることができる。
【００３３】
その他の貴金属、例えば金又は白金もしくは貴金属の合金も同様に考慮される。
【００３４】
図３ａ）ないしｅ）に基づいて列状に配置された結晶の特徴を改めて説明することにする。これによって結晶は振とうされても互いに接触を保つから、圧電性を発揮することができ、その際、緑色電気石がこの性質に極性を与え、こうして胸腺の刺激のための所望の振動が発生される。
【００３５】
図３ａ）には装身具、例えばペンダントをなす、図１及び２に相当する結晶収納用受容器５０が示されている。次に図３ｂ）ないしｅ）には該受容器５０の横断面とその中に列状に配置された結晶が純原理的に示されている。なお空白で示した物体１００、１０２、１０４、１０６、１０８、１１０、１１２、１１４、１１６、１１８、１２０、１２２は水晶、塗りつぶして示した物体１２４、１２６、１２８及び１３０は緑色電気石を表示する。
【００３６】
電気石１２４、１２６、１２８、１３０が２つの水晶結晶１００、１０４又は１０８、１１０又は１２０、１２２の間に配置されていることがこの原理図で明らかである。また結晶の間に接触が生じる。
【００３７】
図３の結晶１００、１２４は長方形又は円筒形の形状を有することができる。図３の結晶１０６、１０８、１１０、１２６の幾何学的形状は円錐台形であり、小さな底面が大きな底面の上に支えられる。
【００３８】
図３ｄ）の結晶の符号１１２、１１４、１１６、１２８は個別結晶の集合を表示するものとする。従ってこの集合はそれぞれ結晶のバラ積みをなすことが可能である。このことは別として、バラ積みが結晶の列状配列をなすことによって、本発明に基づく機能が保証される。結晶が球形であることも可能である。
【００３９】
最後に図３ｅ）は結晶１１８、１２０、１２２、１３０が相異なる長さを有することを表示する。
【図面の簡単な説明】
【００４０】
【図１】胸腺の刺激及び／又は電磁放射の遮蔽又は減少のための本発明の装置の好ましい実施例の図を示す。
【図２】図１の装置のケースの外観斜視図を示す。
【図３】ａ）ないしｅ）にそれぞれ列状に配置された結晶の原理図を含む図２のケースを示す。
【図１】
0004718775.tif 000002
【図２】
0004718775.tif 000003
【図３】
0004718775.tif 000004